【手続補正書】
【提出日】平成30年10月17日(2018.10.17)
【手続補正１】
【補正対象書類名】明細書
【補正対象項目名】０００７
【補正方法】変更
【補正の内容】
【０００７】
上述した課題を解決するために本発明は、
第１の電源周波数に起因する第１のフリッカ発生要因の有無と、第２の電源周波数に起因する第２のフリッカ発生要因の有無を検出するフリッカ検出手段と、
前記フリッカ検出手段によりいずれかのフリッカ発生要因が検出された場合に、この検出された方のフリッカ発生要因による影響を低減させるように第１の撮影条件項目の値を設定する第１の設定手段と、
前記フリッカ検出手段によるフリッカ検出中に固定される第２の撮影条件項目の値を、前記フリッカ検出時以外で設定する第２の設定手段と、
を備え、
前記フリッカ検出手段によりいずれのフリッカ発生要因も検出できなかった時の前記第２の撮影条件項目の値が、いずれかのフリッカ発生要因の検出を妨げる値であれば、前記第１の設定手段は、その検出が妨げられる方のフリッカ発生要因による影響を低減させるように前記第１の撮影条件項目の設定値を変更する、
ことを特徴とする撮像装置である。
【手続補正２】
【補正対象書類名】特許請求の範囲
【補正対象項目名】全文
【補正方法】変更
【補正の内容】
【特許請求の範囲】
【請求項１】
第１の電源周波数に起因する第１のフリッカ発生要因の有無と、第２の電源周波数に起因する第２のフリッカ発生要因の有無を検出するフリッカ検出手段と、
前記フリッカ検出手段によりいずれかのフリッカ発生要因が検出された場合に、この検出された方のフリッカ発生要因による影響を低減させるように第１の撮影条件項目の値を設定する第１の設定手段と、
前記フリッカ検出手段によるフリッカ検出中に固定される第２の撮影条件項目の値を、前記フリッカ検出時以外で設定する第２の設定手段と、
を備え、
前記フリッカ検出手段によりいずれのフリッカ発生要因も検出できなかった時の前記第２の撮影条件項目の値が、いずれかのフリッカ発生要因の検出を妨げる値であれば、前記第１の設定手段は、その検出が妨げられる方のフリッカ発生要因による影響を低減させるように前記第１の撮影条件項目の設定値を変更する、
ことを特徴とする撮像装置。
【請求項２】
前記第２の設定手段は、動画の撮影動作における第２の撮影条件項目の値を設定し、
前記フリッカ検出手段は、動画の撮影動作中に、前記第１のフリッカ発生要因と前記第２のフリッカ発生要因のうち検出が妨げられない方のフリッカ発生要因の有無を検出し、
前記第１の設定手段は、前記動画の撮影動作中に、前記フリッカ検出手段の検出結果に応じて前記第１の撮影条件項目の設定値を更に変更する、
ことを特徴とする請求項１に記載の撮像装置。
【請求項３】
前記フリッカ検出手段は、前記第１の設定手段によって前記第１の撮影条件項目の設定値が変更された場合、前記検出が妨げられない方のフリッカ発生要因の有無を更に検出し、
前記第１の設定手段は、前記フリッカ検出手段によって前記検出が妨げられない方のフリッカ発生要因が検出された場合に、前記検出が妨げられない方のフリッカ発生要因による影響を低減させるように前記第１の撮影条件項目の設定値を更に変更する、
ことを特徴とする請求項２に記載の撮像装置。
【請求項４】
前記第１の設定手段は、前記フリッカ検出手段によって前記検出が妨げられない方のフリッカ発生要因が検出されなかった場合に、前記検出が妨げられる方のフリッカ発生要因による影響を低減させるように前記第１の撮影条件項目の設定値を更に変更する、
ことを特徴とする請求項３に記載の撮像装置。
【請求項５】
前記フリッカ検出手段は、動画撮影を開始する前は、前記第１のフリッカ発生要因と、前記第２のフリッカ発生要因の両方を検出し、動画の撮影動作中は、前記検出が妨げられない方のフリッカ発生要因の有無のみを検出する、
ことを特徴とする請求項２乃至４のいずれか１項に記載の撮像装置。
【請求項６】
前記第２の撮影条件項目は、動画撮影のフレームレートである、
ことを特徴とする請求項２乃至５のいずれか１項に記載の撮像装置。
【請求項７】
前記第１の撮影条件項目は、露光時間である、
ことを特徴とする請求項１乃至６のいずれか１項に記載の撮像装置。
【請求項８】
前記第１の撮影条件項目は、露光時間であり、
前記第１の電源周波数は５０Ｈｚ、前記第２の電源周波数は６０Ｈｚであり、
前記第１の設定手段は、動画撮影のフレームレートが２４ｆｐｓ、３０ｆｐｓのいずれかである場合に、５０Ｈｚに対応するフリッカを検出した場合には、露光時間を１０ｍｓ、２０ｍｓ、３０ｍｓのいずれかに設定し、６０Ｈｚに対応するフリッカを検出した場合、又はいずれのフリッカも検出できなかった場合には、露光時間を８．３ｍｓ、１６．７ｍｓ、２５ｍｓ、３３．３ｍｓのいずれかに設定する、
ことを特徴とする請求項６に記載の撮像装置。
【請求項９】
前記第１の撮影条件項目は、露光時間であり、
前記第１の電源周波数は５０Ｈｚ、前記第２の電源周波数は６０Ｈｚであり、
前記第１の設定手段は、動画撮影のフレームレートが２５ｆｐｓである場合に、６０Ｈｚに対応するフリッカを検出した場合には、露光時間を８．３ｍｓ、１６．７ｍｓ、２５ｍｓ、３３．３ｍｓのいずれかに設定し、５０Ｈｚに対応するフリッカを検出した場合、又はいずれのフリッカも検出できなかった場合には、露光時間を１０ｍｓ、２０ｍｓ、３０ｍｓのいずれかに設定する、
ことを特徴とする請求項６に記載の撮像装置。
【請求項１０】
ローリングシャッタ方式の撮像素子を用いた撮像手段を更に備え、
前記フリッカ検出手段は、前記撮像手段によって撮影された撮影画像に生じるフリッカ縞を利用してフリッカ発生要因を検出する、
ことを特徴とする請求項１乃至９のいずれか１項に記載の撮像装置。
【請求項１１】
撮像装置におけるフリッカ検出方法であって、
第１の電源周波数に起因する第１のフリッカ発生要因の有無と、第２の電源周波数に起因する第２のフリッカ発生要因の有無を検出する処理と、
前記いずれかのフリッカ発生要因が検出された場合に、この検出された方のフリッカ発生要因による影響を低減させるように第１の撮影条件項目の値を設定する処理と、
前記フリッカ検出中に固定される第２の撮影条件項目の値を、前記フリッカ検出時以外で設定する処理と、
を含み、
前記いずれのフリッカ発生要因も検出できなかった時の前記第２の撮影条件項目の値が、いずれかのフリッカ発生要因の検出を妨げる値であれば、前記第１の撮影条件項目の値を設定する処理は、その検出が妨げられる方のフリッカ発生要因による影響を低減させるように前記第１の撮影条件項目の設定値を変更する、
ことを特徴とするフリッカ検出方法。
【請求項１２】
撮像装置のコンピュータに対して、
第１の電源周波数に起因する第１のフリッカ発生要因の有無と、第２の電源周波数に起因する第２のフリッカ発生要因の有無を検出する機能と、
前記いずれかのフリッカ発生要因が検出された場合に、この検出された方のフリッカ発生要因による影響を低減させるように第１の撮影条件項目の値を設定する機能と、
前記フリッカ検出中に固定される第２の撮影条件項目の値を、前記フリッカ検出時以外で設定する機能と、
を備え、
前記いずれのフリッカ発生要因も検出できなかった時の前記第２の撮影条件項目の値が、いずれかのフリッカ発生要因の検出を妨げる値であれば、 前記第１の撮影条件項目の値を設定する機能は、その検出が妨げられる方のフリッカ発生要因による影響を低減させるように前記第１の撮影条件項目の設定値を変更する、
ことを実現させるためのプログラム。